(57)【要約】  【課題】地域住民（団体における）情報伝達の正確性、迅速性、利便性を提供し、地域社会、地域経済の活性化を図る。  【解決手段】地域情報統合システム１では、ユーザが所属するコミュニティによるメッセージのやりとりに乗じて、そのユーザまたはコミュニティの活動する地域に対応する広告情報を提供することができる。このように、地域住民への利便性の提供をできる広告配信は、存在そのものが大きな社会性をもたらし、広告主にとっても紙媒体が主流であった地域社会への新たな告知ツールとして活用でき、これにより、地域社会の活性化を図ることができる。【選択図】図１
2012108670.tif 000002
【特許請求の範囲】
【請求項１】
所定の広告主がユーザに提供したい広告情報、および、該広告情報に関連する地域を示す地域情報、からなるデータレコードを１以上登録した広告データベースと、
ユーザを識別するためのユーザ情報、そのユーザが所属するコミュニティを示す所属情報、そのユーザまたはコミュニティが活動する地域を示す地域情報、からなるデータレコードを１以上登録したユーザデータベースと、
ユーザの操作するクライアントデバイスから前記所属情報を伴った要求を受けた際に、１以上のコミュニティそれぞれに対応するウェブページであって、該コミュニティに所属するユーザそれぞれへのメッセージを記入するための記入欄、および、該記入欄に記入されたメッセージを送信すべく選択する送信ボタン、が配置されたメッセージ交換ページの中から、前記要求に係る所属情報で示されるコミュニティに対応するメッセージ交換ページを選択し、該メッセージ交換ページを前記要求元であるクライアントデバイスへ配信するページ配信手段と、
前記ページ配信手段によりメッセージ交換ページを配信したクライアントデバイスから前記記入欄に記入されたメッセージを受信した際または受信するまでに、そのクライアントデバイスからの前記要求に係る所属情報に基づいて、該所属情報で示されるコミュニティに所属するユーザのユーザ情報それぞれを、前記ユーザデータベースに登録されたデータレコードから特定するユーザ特定手段と、
前記ページ配信手段によりメッセージ交換ページを配信したクライアントデバイスから前記記入欄に記入されたメッセージを受信した際または受信するまでに、そのクライアントデバイスのユーザ、または、そのクライアントデバイスからの前記要求に係る所属情報で示されるコミュニティに基づいて、そのユーザまたはコミュニティの活動する地域を示す地域情報を、前記ユーザデータベースに登録されたデータレコードから特定すると共に、該特定した地域情報で示される地域に関連する広告情報を、前記広告データベースに登録された広告情報の中から抽出する広告抽出手段と、
前記ページ配信手段によりメッセージ交換ページを配信したクライアントデバイスから前記記入欄に記入されたメッセージを受信した際、該メッセージに、前記広告抽出手段に抽出された１以上の広告情報を付加し、該広告情報が付加されたメッセージを、前記ユーザ特定手段により特定されたユーザ情報で識別されるユーザのクライアントデバイスそれぞれへと送信するメッセージ送信手段と、を備えている
ことを特徴とする地域情報統合システム。
【発明の詳細な説明】
【技術分野】
【０００１】
本発明は、地域情報統合システムに関する。
【背景技術】
【０００２】
近年、地域企業などは、自社の情報を掲載したウェブページを公開して顧客の獲得に利用している。
【発明の概要】
【発明が解決しようとする課題】
【０００３】
しかし、地域企業がウェブページを所有したとしても、費用等の関係から十分な検索対策がなされていないなど、閲覧される機会が少ない・・・等の問題が発生している。
また、商圏内住民にタイムリーに情報を訴求する事が出来ず、結果としてウェブページの活用がなされていない。この不況下に於いて、ますます企業間格差（大企業のウェブページは資金量も豊富で充実した対策を施しているので有利）・地域格差（大都市はより広域から集客できるので有利）が広がることが推測される。
【０００４】
本発明は、このような課題を解決するためになされたものであり、その目的は、地域住民（団体における）情報伝達の正確性、迅速性、利便性を提供し、地域社会、地域経済の活性化を図ることである。
【課題を解決するための手段】
【０００５】
上記課題を解決するため第１の構成（請求項１）は、
所定の広告主がユーザに提供したい広告情報、および、該広告情報に関連する地域を示す地域情報、からなるデータレコードを１以上登録した広告データベースと、
ユーザを識別するためのユーザ情報、そのユーザが所属するコミュニティを示す所属情報、そのユーザまたはコミュニティが活動する地域を示す地域情報、からなるデータレコードを１以上登録したユーザデータベースと、
ユーザの操作するクライアントデバイスから前記所属情報を伴った要求を受けた際に、１以上のコミュニティそれぞれに対応するウェブページであって、該コミュニティに所属するユーザそれぞれへのメッセージを記入するための記入欄、および、該記入欄に記入されたメッセージを送信すべく選択する送信ボタン、が配置されたメッセージ交換ページの中から、前記要求に係る所属情報で示されるコミュニティに対応するメッセージ交換ページを選択し、該メッセージ交換ページを前記要求元であるクライアントデバイスへ配信するページ配信手段と、
前記ページ配信手段によりメッセージ交換ページを配信したクライアントデバイスから前記記入欄に記入されたメッセージを受信した際または受信するまでに、そのクライアントデバイスからの前記要求に係る所属情報に基づいて、該所属情報で示されるコミュニティに所属するユーザのユーザ情報それぞれを、前記ユーザデータベースに登録されたデータレコードから特定するユーザ特定手段と、
前記ページ配信手段によりメッセージ交換ページを配信したクライアントデバイスから前記記入欄に記入されたメッセージを受信した際または受信するまでに、そのクライアントデバイスのユーザ、または、そのクライアントデバイスからの前記要求に係る所属情報で示されるコミュニティに基づいて、そのユーザまたはコミュニティの活動する地域を示す地域情報を、前記ユーザデータベースに登録されたデータレコードから特定すると共に、該特定した地域情報で示される地域に関連する広告情報を、前記広告データベースに登録された広告情報の中から抽出する広告抽出手段と、
前記ページ配信手段によりメッセージ交換ページを配信したクライアントデバイスから前記記入欄に記入されたメッセージを受信した際、該メッセージに、前記広告抽出手段に抽出された１以上の広告情報を付加し、該広告情報が付加されたメッセージを、前記ユーザ特定手段により特定されたユーザ情報で識別されるユーザのクライアントデバイスそれぞれへと送信するメッセージ送信手段と、を備えている。
【０００６】
このように構成された地域情報統合システムによれば、ユーザが所属するコミュニティによるメッセージのやりとりに乗じて、そのユーザまたはコミュニティの活動する地域に対応する広告情報を提供することができる。
【０００７】
このように、地域住民への利便性の提供をできる広告配信は、存在そのものが大きな社会性をもたらし、広告主にとっても紙媒体が主流であった地域社会への新たな告知ツールとして活用でき、これにより、地域社会の活性化を図ることができる。
【０００８】
この構成における各データベースは、ユーザや広告主との間でのデータのやりとりを経て随時登録、更新されるように構成されたものである。
また、上記課題を解決するための第２の構成としては、上記第１の構成における全ての手段として機能させるための各種処理手順をコンピュータシステムに実行させるためのプログラムとして構成してもよい。
【０００９】
このプログラムにより制御されるコンピュータシステムであれば、上記第１の構成の一部を構成することができる。
なお、上述したプログラムは、コンピュータシステムによる処理に適した命令の順番付けられた列からなるものであって、各種記録媒体や通信回線を介して地域情報統合システムや、これを利用するユーザ等に提供されるものである。
【図面の簡単な説明】
【００１０】
【図１】地域情報統合システムの全体構成を図
【図２】記憶部に格納されたデータベースを示す図
【図３】メッセージ配信処理を示すフローチャート
【図４】広告情報が付加されたメッセージの表示状態を示す図
【発明を実施するための形態】
【００１１】
以下に本発明の実施形態を図面と共に説明する。
（１）全体構成
地域情報統合システム１は、図１に示すように、ネットワークを介して通信可能なサーバであり、制御部１０、通信部２０、記憶部３０などを備えている。
【００１２】
記憶部３０には、図２に示すように、広告データベース３２、ユーザデータベース３４などが格納されている。
これらのうち、広告データベース３２は、所定の広告主がユーザに提供したい広告情報、および、該広告情報に関連する地域を示す地域情報、からなるデータレコードを１以上登録したデータベースである。
【００１３】
また、ユーザデータベース３４は、ユーザを識別するためのユーザ情報、そのユーザが所属するコミュニティを示す所属情報、そのユーザまたはコミュニティが活動する地域を示す地域情報、からなるデータレコードを１以上登録したデータベースである。
【００１４】
なお、これら各データベースは、ユーザや広告主との間でのデータのやりとりを経て随時登録、更新されるものである。
（２）メッセージ配信処理
この地域情報統合システム１では、ユーザの操作するクライアントデバイス１００から所属情報を伴った要求を受けると、制御部１０が、記憶部３０に記憶されたプログラムに従ってメッセージ配信処理を実行する。以下に、このメッセージ配信処理の処理手順を図３に基づいて説明する。
【００１５】
このメッセージ配信処理が起動されると、まず、その要求に係る所属情報で示されるコミュニティに対応するメッセージ交換ページが、要求元クライアントデバイス１００へと配信される（ｓ１１０）。メッセージ交換ページとは、１以上のコミュニティそれぞれに対応するウェブページとして用意されたものであって、コミュニティに所属するユーザそれぞれへのメッセージを記入するための記入欄、および、該記入欄に記入されたメッセージを送信すべく選択する送信ボタン、が配置されている。そして、このｓ１１０では、クライアントデバイス１００の要求に係る所属情報で示されるコミュニティにつき、そのコミュニティに対応するメッセージ交換ページを、複数のメッセージ交換ページの中から選択し、そのメッセージ交換ページを要求元クライアントデバイス１００へ配信する。
【００１６】
次に、メッセージ交換ページを配信したクライアントデバイス１００からメッセージが受信されるまで待機状態となり（ｓ１２０：ＮＯ、ｓ１３０：ＮＯ）、その後、一定時間内にメッセージが受信されなければ（ｓ１３０：ＹＥＳ）、直ちにメッセージ配信処理が終了する。
【００１７】
一方、一定時間が経過するまでにクライアントデバイス１００からメッセージが受信されたら（ｓ１２０：ＹＥＳ）（図１（ａ）参照）、本メッセージ配信処理の起動に先立って受信した所属情報に基づいて、該所属情報で示されるコミュニティに所属するユーザのユーザ情報それぞれが、ユーザデータベース３４に登録されたデータレコードから特定される（ｓ１４０）。
【００１８】
次に、クライアントデバイス１００のユーザ、または、本メッセージ配信処理の起動に先立って受信した所属情報で示されるコミュニティに基づいて、そのユーザまたはコミュニティの活動する地域を示す地域情報が、ユーザデータベース３４に登録されたデータレコードから特定され、また、こうして特定された地域情報で示される地域に関連する広告情報が、広告データベース３２に登録された広告情報の中から抽出される（ｓ１５０）。
【００１９】
そして、上記ｓ１２０にて受信されたメッセージに、上記ｓ１５０にて抽出されたいずれか１以上の広告情報が選択的に付加されたうえで、こうして広告情報が付加されたメッセージが（本実施形態においては電子メール；図４参照）、上記ｓ１４０にて特定されたユーザ情報で識別されるユーザのクライアントデバイス２００それぞれへと送信された後（ｓ１６０）（図１（ｂ）参照）、メッセージ配信処理が終了する。
【００２０】
なお、上述したメッセージ配信処理では、ｓ１２０でメッセージを受信した後で、ｓ１４０，ｓ１５０によりユーザ情報の特定および広告情報の抽出を実施しているが、これらユーザ情報の特定および広告情報の抽出は、ｓ１１０によるメッセージ交換ページの配信後、メッセージを受信するまでに事前に実施するようにしてもよい。
（３）作用，効果
このように構成された地域情報統合システム１によれば、ユーザが所属するコミュニティによるメッセージのやりとりに乗じて、そのユーザまたはコミュニティの活動する地域に対応する広告情報を提供することができる。
【００２１】
このように、地域住民への利便性の提供をできる広告配信は、存在そのものが大きな社会性をもたらし、広告主にとっても紙媒体が主流であった地域社会への新たな告知ツールとして活用でき、これにより、地域社会の活性化を図ることができる。
（４）本発明との対応関係
以上説明した実施形態において、図３のｓ１１０が本発明におけるページ配信手段であり、同図ｓ１４０が本発明におけるユーザ特定手段であり、同図ｓ１５０が本発明における広告抽出手段であり、同図ｓ１６０がメッセージ送信手段である。
【符号の説明】
【００２２】
１…地域情報統合システム、１０…制御部、２０…通信部、３０…記憶部、３２…広告データベース、３４…ユーザデータベース、１００…クライアントデバイス、２００…クライアントデバイス。
【図２】
2012108670.tif 000003
【図３】
2012108670.tif 000004
【図４】
2012108670.tif 000005
【図１】
2012108670.tif 000006